(57)【要約】      （修正有）【課題】過度な釣果を抑えて魚資源の保護を図りつつ釣り人の使用感および釣果の要求を満たすことができるコマセ保持具を提供する。【解決手段】コマセ保持具２０は、軸状に形成された支持軸２１上に釣竿１１から延びる幹糸１２を繋ぐための幹糸結合部２２と、餌Ｂを保持するコマセ保持部２３と、コマセ保持具２３より下方に配置され、釣竿１１から下垂する幹糸１２の軸線に交わる方向に張り出して延びる可撓性を有する線状体で構成されるとともに一方の端部にハリス３０を結合するためのハリス結合部を有する延長ロッド２４と、コマセ保持具２０を水中に沈めるための錘２５とを備えている。延長ロッド２４は、支持軸２１に対して回転可能かつ上下動可能であるとともに、リング部から図示下方の直線軸部分が図示斜め下方に向って折り曲げられている。ハリス３０には、釣針３１ａ，３１ｂがそれぞれ結ばれている。【選択図】図１
0003160378.tif 000002
【実用新案登録請求の範囲】
【請求項１】
釣竿から延びる幹糸を繋ぐための幹糸結合部と、
前記幹糸結合部の下方にて撒き餌を保持するコマセ保持部と、
前記コマセ保持具より下方に配置され、前記釣竿から下垂する前記幹糸の軸線に交わる方向に張り出して延びる可撓性を有する線状体で構成されるとともに一方の端部にハリスを結合可能なハリス結合部を有した延長ロッドとを備えることを特徴とするコマセ保持具。
【請求項２】
請求項１に記載したコマセ保持具において、
前記コマセ保持部は、線状体を螺旋状に巻き回した略コイル状に形成されていることを特徴とするコマセ保持具。
【請求項３】
請求項１または請求項２に記載したコマセ保持具において、さらに、
前記幹糸結合部に繋がるとともに前記釣竿から下垂する前記幹糸の軸線に平行な支持軸を備え、
前記延長ロッドは、他方の端部にリング部を有するとともに同リング部内に前記支持軸が貫通することにより支持されていることを特徴とするコマセ保持具。
【請求項４】
請求項３に記載したコマセ保持具において、さらに、
前記延長ロッドは、前記リング部近傍が下方側に折り曲げられていることを特徴とするコマセ保持具。
【請求項５】
請求項１ないし請求項４のうちのいずれか１つに記載したコマセ保持具において、さらに、
前記コマセ保持部より下方に錘を取付け可能な錘取付部を備えることを特徴とするコマセ保持具。
【考案の詳細な説明】
【技術分野】
【０００１】
本考案は、魚釣り用の仕掛けとして用いられ、少なくとも１つ以上の釣針の周辺に撒き餌をするための餌を保持するコマセ保持具に関する。
【背景技術】
【０００２】
従来から、水底付近を泳ぐ魚、例えば、川底付近を泳ぐ鮎を釣る方法として撒き餌（コマセ）を用いた釣り方がある。撒き餌を用いた釣り方は、１つまたは複数の釣針の周囲に複数の餌を散在させて、これらの餌に紛れた釣針に魚を掛からせる釣り方である。このような水底付近を泳ぐ魚を撒き餌を用いて釣る場合、釣針の周囲に確実に餌を散在させるため、撒き餌となる複数の餌を保持したコマセ保持具が用いられる。
【０００３】
このコマセ保持具として、本考案者は、下記特許文献１，２に示すようなコマセ保持具を提案した。具体的には、図７（Ａ），（Ｂ）に示すように、コマセ保持具１は、複数の餌Ｂ（破線で示す）を保持するためのコマセ保持部２と、同コマセ保持部２を沈降させるための錘３と、同コマセ保持部２を水底から浮かせた状態で支持するための線状体のコマセ支持部４とを備えている。これらのコマセ保持具１は、図示しない釣竿の竿先から垂下するとともに釣針５が枝状に設けられた幹糸６の下端部に取り付けられている。
【先行技術文献】
【特許文献】
【０００４】
【特許文献１】実用新案登録第３０６７０６５号公報
【特許文献２】特開２００９−１５９９０９号公報
【０００５】
そして、魚を釣る際には、餌Ｂを保持するコマセ保持部２をコマセ支持部４によって水底から浮かせた状態で川底上を引き摺ることによりコマセ保持部４を含むコマセ保持具１を川の流れに沿って移動させる。この場合、コマセ保持部２に保持された餌Ｂは、川の流れによって解されてコマセ保持部２から放出される。これにより、釣針５の周囲に複数の大量の餌Ｂが散在して、これらの餌Ｂに紛れた釣針に魚が掛かる。
【考案の概要】
【０００６】
しかしながら、上記特許文献１，２に示したコマセ保持具においては、釣果への影響が極めて大きく釣り人の釣果への満足感が大きい一方で、地域によっては魚資源の減少が懸念されて使用が制限されることがあるという問題があった。
【０００７】
本考案は上記問題に対処するためなされたもので、その目的は、過度な釣果を抑えて魚資源の保護を図りつつ釣り人の使用感および釣果の要求を満たすことができるコマセ保持具を提供することにある。
【０００８】
上記目的を達成するため、請求項１に係る本考案の特徴は、釣竿から延びる幹糸を繋ぐための幹糸結合部と、幹糸結合部の下方にて撒き餌を保持するコマセ保持部と、コマセ保持具より下方に配置され、釣竿から下垂する幹糸の軸線に交わる方向に張り出して延びる可撓性を有する線状体で構成されるとともに一方の端部にハリスを結合可能なハリス結合部を有した延長ロッドとを備えたことにある。
【０００９】
このように構成した請求項１に係る本考案の特徴によれば、コマセ保持具は、撒き餌を保持するコマセ保持部の下方に、釣竿から下垂する幹糸の軸線に交わる方向に張り出して延びる延長ロッドを備えている。この場合、延長ロッドは、可撓性を有する線状体で構成されるとともに、この線状体の一方の端部に釣針に繋がるハリスを結合可能なハリス結合部が形成されている。これにより、釣針が撒き餌を保持するコマセ保持部の下方に位置、すなわち、釣針が水底付近に位置するようになるため過度な釣果を抑えることができる。また、釣針が繋がるハリスが幹糸の軸線に交わる方向に張り出して延びる延長ロッドの先端部に繋がれているため、幹糸やコマセ保持部などの仕掛けと絡み合うことが防止される。これにより、釣果の低下を防止できるとともに釣りの円滑な進行を妨げず釣り人の使用感を良好に維持することができる。これらの結果、過度な釣果を抑えて魚資源の保護を図りつつ釣り人の使用感および釣果の要求を満たすことができる。
【００１０】
また、請求項２に係る本考案の他の特徴は、前記コマセ保持具において、コマセ保持部は、線状体を螺旋状に巻き回した略コイル状に形成されていることにある。
【００１１】
このように構成した請求項２に係る本考案の他の特徴によれば、コマセ保持部は、線状体を螺旋状に巻き回した略コイル状に形成されている。このため、コイル内に撒き餌を詰めることにより、水中に投入するまでの間、精度良く撒き餌を保持することができるとともに、水中に投入後は少しずつ撒き餌が解けて周囲に散在させることができ魚を釣針の周囲に引き寄せることができる。
【００１２】
また、請求項３に係る本考案の他の特徴は、前記コマセ保持具において、さらに、幹糸結合部に繋がるとともに釣竿から下垂する幹糸の軸線に平行な支持軸を備え、延長ロッドは、他方の端部にリング部を有するとともに同リング部内に支持軸が貫通することにより支持されていることにある。
【００１３】
このように構成した請求項３に係る本考案の他の特徴によれば、コマセ保持具は、幹糸結合部に繋がるとともに釣竿から下垂する幹糸の軸線に平行な支持軸を備えるとともに、同支持軸に延長ロッドの他端部に形成されたリング部を掛けて延長ロッドを支持している。これにより、簡易な構成で延長ロッドを支持することができる。また、延長ロッドは支持軸を中心として回転自在にすることができるため、水の流れや釣針に掛かった魚の動きに応じて延長ロッドの向きを変えることができ釣果を向上させることができるとともに、釣糸の絡み合いや根掛りを防止して円滑な釣りを行なうことができる。
【００１４】
また、請求項４に係る本考案の他の特徴は、前記コマセ保持具において、さらに、延長ロッドは、リング部近傍が下方側に折り曲げられていることにある。
【００１５】
このように構成した請求項４に係る本考案の他の特徴によれば、延長ロッドは、リング部近傍が下方側に折り曲げられている。これにより、延長ロッドは、コマセ保持部側（すなわち、幹糸側）に傾斜することがないため、延長ロッドの先端部からのハリスがコマセ保持部より上方の釣糸や他の仕掛けに絡むことが効果的に防止される。また、延長ロッドに繋がった釣針に魚が掛かった場合には、延長ロッドが支持軸と略直線状になる程度まで倒れるため、ハリス、延長ロッド、支持軸および幹糸が略直線状となって掛かった魚の引きが直接的に釣り人に伝わり、魚の掛かった感触をより直接的に感じながら釣りを楽しむことができる。
【００１６】
また、請求項５に係る本考案の他の特徴は、前記コマセ保持具において、さらに、コマセ保持部より下方に錘を取付け可能な錘取付部を備えることにある。
【００１７】
このように構成した請求項５に係る本考案の他の特徴によれば、コマセ保持部より下方に錘を取付け可能な錘取付部を備えている。このため、錘取付部に適当な重さの錘を取り付けることによりコマセ保持部をより早期に水底に導くことができ、水底到達までの撒き餌の消耗を抑えることができる。
【図面の簡単な説明】
【００１８】
【図１】本考案の一実施形態に係るコマセ保持具を備える釣用仕掛けの全体構成を模式的に示す図である。
【図２】図１に示す釣用仕掛けにおけるコマセ保持具の全体構成を示す正面図である。
【図３】（Ａ）〜（Ｃ）は本考案一実施形態に係るコマセ保持具の使用状態を説明するための説明図であり、（Ａ）はコマセ保持具を水中に投入して沈降させる際の状態を示す説明図であり、（Ｂ）はコマセ保持具から餌が放出される状態を示す説明図であり、（Ｃ）はコマセ保持具から放出された餌に紛れた釣針に魚が食い付いて釣り上げられる状態を示す説明図である。
【図４】本考案の変形例に係るコマセ保持具の全体構成を示す正面図である。
【図５】（Ａ），（Ｂ）は、本考案の他の変形例に係るコマセ保持具の全体構成をそれぞれ示す正面図である。
【図６】本考案の他の変形例に係るコマセ保持具の全体構成を示す正面図である。
【図７】（Ａ），（Ｂ）は、従来例に係るコマセ保持具の全体構成を示す図である。
【考案を実施するための形態】
【００１９】
以下、本考案に係るコマセ保持具の一実施形態について図面を参照しながら説明する。図１は、本考案に係るコマセ保持具２０を備えた釣用仕掛けの全体構成を示す図である。なお、本明細書において参照する各図は、本考案の理解を容易にするために一部の構成要素を誇張して表わすなど模式的に表している。このため、各構成要素間の寸法や比率などは異なっていることがある。本実施形態に係るコマセ保持具２０を備えた釣用仕掛け１０は、川底付近を泳ぐ魚、例えば、鮎を撒き餌を用いて釣る際に用いられるものである。
【００２０】
（コマセ保持具２０の構成）
釣用仕掛け１０は、主として、釣竿１１の先端部から垂下する幹糸１２に浮き１３、コマセ保持具２０および釣針３１a，３１ｂを備えて構成されている。釣竿１１は、釣用仕掛け１０を釣り人が意図するポイントに投入するための道具であり、弾力性を有する細長い棒状に形成されている。本実施形態においては、長さ約５ｍ、竿の硬さが所謂中調で構成されたカーボンファイバ製の釣竿（鮎などの川魚を餌釣りで釣る際に多用される釣竿）を釣竿１１として用いる。
【００２１】
釣竿１１の先端部には、幹糸１２の一方（図示上方）の端部が結ばれている。幹糸１２は、主として釣竿１１とコマセ保持具２０とを繋ぐための糸であり、透明で引っ張り強さのある素材で構成されている。本実施形態においては、釣糸の太さを表わす号数が１.５号のポリアミド系樹脂（所謂ナイロン）で構成された釣糸を幹糸１２として用いる。幹糸１２における中央部分には、浮き止め１３ａを介して浮き１３が設けられている。
【００２２】
浮き１３は、水中においてコマセ保持具２０を起立させるとともに、同釣針３１ａ，３１ｂに魚が食いついたこと、すなわちアタリを釣り人に感知させるための道具であり、浮力を有する構造で構成されている。本実施形態においては、樹脂製の中空球体の表面から１本の軸が突出した所謂玉浮きを浮き１３として用いる。浮き止め１３ａは、浮き１３を幹糸１２上における任意の位置に固定するためのゴム製の道具であり、浮き１３の表面から突出した軸に対応する内径の円筒状に形成されている。この浮き止め１３ａには、前記幹糸１２が貫通した状態で通されているとともに、浮き１３の表面から突出した軸が通される。これにより、浮き止め１３ａ、すなわち、浮き１３を幹糸１２上の任意に位置に移動させて固定することができる。幹糸１２の他方（図示下方）の端部には、本願考案に係るコマセ保持具２０が設けられている。
【００２３】
コマセ保持具２０は、釣針３１ａ，３１ｂの周囲に撒き餌をするための餌を保持するための道具であり、詳しくは図２に示すように、支持軸２１上に、主として幹糸結合部２２、コマセ保持部２３、延長ロッド２４および錘２５を備えて構成されている。支持軸２１は、コマセ保持具２０の基部を構成する軸部材であり、ステンレス製の線材で構成されている。本実施形態においては、外径が約０.６ｍｍのステンレス製の線材で構成されている。この支持軸２１の上端部には、リング状に折り曲げ成形された幹糸結合部２２が形成されている。幹糸結合部２２は、釣竿１１から延びる幹糸１２をコマセ保持具２０に繋ぐための部分である。本実施形態においては、ヨリモドシ２２ａを介して幹糸１２が結ばれている。
【００２４】
支持軸２１に形成された幹糸結合部２２の下方には、コマセ保持部２３が設けられている。コマセ保持部２３は、撒き餌となる餌Ｂ（破線で示す）を保持する部分であり、ステンレス製の線材を螺旋状に形成して構成されている。この場合、コマセ保持部２３は、中央部分の外径が両端部の外径より大きい形状、換言すればコマセ保持部２３の軸線方向の断面形状が略楕円形状に形成されている。本実施形態においては、コマセ保持部２３は、外径が０.６ｍｍのステンレス製の線材を全長が約２５ｍｍ、外径が約６ｍｍのコイル状に成形して構成されている。このコマセ保持部２３は、軸線方向に沿って支持軸２１が貫通させることにより同支持軸２１上に支持されている。
【００２５】
支持軸２１に支持されたコマセ保持部２３の下方には、延長ロッド２４が設けられている。延長ロッド２４は、釣竿１１から下垂する幹糸１２の軸線に対して斜め下方に向って張り出して延びた軸部材であり、可撓性を有する線状体、具体的には、ステンレス製の線材で構成されている。本実施形態においては、外径が約０.６ｍｍであり、直線部分の長さが約４０ｍｍのステンレス製の線材で構成されている。延長ロッド２４の両端部は、それぞれリング状に形成されている。これらのうち、一方（図示下方）の端部には、同端部を環状に折り曲げ加工したハリス結合部２４ａが形成されている。このハリス結合部２４ａには、前記釣針３１ａ，３１ｂに繋がるハリス３０が結ばれている。
【００２６】
また、延長ロッド２４の両端部のうち他方（図示上方）の端部には、同端部を環状に折り曲げ加工したリング部２４ｂが形成されている。このリング部２４ｂには、支持軸２１が貫通している。すなわち、延長ロッド２４は、支持軸２１を中心として回転自在かつ同支持軸２１に沿って上下動自在な状態で支持軸２１に支持されている。この延長ロッド２４は、リング部２４ｂから図示下方の直線軸部分が図示斜め下方に向って折り曲げられている。本実施形態においては、延長ロッド２４における直線軸部分に対してリング部２４ｂが約１１０°折り曲げられている。
【００２７】
支持軸２１に支持された延長ロッド２４の下方には、錘２５が設けられている。錘２５は、コマセ保持具２０および釣針３１ａ，３１ｂを水中に沈めるためのものである。この錘２５は、球体に形成されるとともに中央部に形成された図示しない貫通孔に支持軸２１が貫通して同支持軸２１に支持されている。本実施形態においては、重さが約０.６ｇの鉛玉を錘２５として用いる。支持軸２１に支持された錘２５の下方における支持軸２１の下端部には、同下端部を環状に折り曲げ加工した留め部２６が形成されている。留め部２６は、留め部２６より上方に支持された錘２５、延長ロッド２４およびコマセ保持部２３が支持軸２１から抜け落ちないようにするための成形部である。
【００２８】
ハリス３０は、釣針３１ａおよびハリス３０ａを介して釣針３１ｂを備える釣糸である。具体的には、ハリス３０は、一方（図示下方）の端部に釣針３１ａが結ばれているとともに、他方（図示上方）の端部が延長ロッド２４の先端部に形成されたハリス結合部２４ａに結ばれている。また、ハリス３０の中央部には、枝状に張り出した状態でハリス３０ａの一方の端部が結ばれている。このハリス３０ａにおける他方の端部には、釣針３１ｂが結ばれている。これらのハリス３０，３０ａは、幹糸１２より柔軟で細い径の釣糸で構成されている。本実施形態においては、釣糸の太さを表わす号数が１.０号のポリアミド系樹脂（所謂ナイロン）で構成された釣糸をハリス３０，３０ａとして用いる。
【００２９】
釣針３１ａ，３１ｂは、魚の口に引っ掛けて釣り上げるための道具であり、略Ｊ字状に形成されている。本実施形態においては、釣針の大きさを表わす号数が１.５号の釣針を釣針３１ａ，３１ｂとしてそれぞれ用いる。なお、コマセ保持具２０の支持軸２１における幹糸結合部２２、コマセ保持部２３、延長ロッド２４、錘２５および留め部２６の各間にはリング状のビーズ２７がそれぞれ配置されている。これらのビーズ２７は、支持軸２１を回転中心とするコマセ保持部２３、延長ロッド２４および錘２５の回転を円滑にするためのものであり、これにより根掛りなどのトラブルを防止することができる。
【００３０】
（コマセ保持具２０の作動）
次に、このように構成されたコマセ保持具２０を含む釣用仕掛け１０の作動について説明する。まず、釣用仕掛け１０を用いる者、すなわち、釣り人（図示せず）は、コマセ保持具２０におけるコマセ保持部２３に撒き餌となる餌Ｂを付ける。この場合、餌Ｂは、釣りの対象となる魚の好む食べ物を細かく刻んだ集合物である。釣り人は、団子状にした餌Ｂをコマセ保持部２３の螺旋体内に押し込むとともに、同螺旋体を覆う状態で餌Ｂを付ける。なお、この場合、２つの釣針３１ａ，３１ｂには餌を付けないが、付けても構わない。
【００３１】
次に、釣り人は、幹糸１２上における浮き１３の位置を適宜調整した後、釣竿１１を操作してコマセ保持具２０を含む釣用仕掛け１０を釣り場における意図するポイントに投入する。この場合、釣用仕掛け１０を投入するポイントは、川の流れにおける釣り人の立ち位置よりも上流側である。水中に投入された釣用仕掛け１０は、図３（Ａ）に示すように、川の流れに流されながら主として錘２５の重さによって川底に向って沈む。この場合、コマセ保持具２０における延長ロッド２４は、支持軸２１周りをコマセ保持具２０が沈む方向の反対方向側（図示水面側）に回転するとともに、コマセ保持部２３側に傾斜した開いた状態となる。これにより、釣用仕掛け１０の着水直後におけるハリス３０，３０ａに対するコマセ保持具２３およびや幹糸１２との絡み合いを防止することができる。
【００３２】
そして、この場合、延長ロッド２４は、リング２４ｂが直線軸部分に対して錘２５側に折り曲げられている。このため、延長ロッド２４が開く際、延長ロッド２４のリング部２４ｂがビーズ２７を介してコマセ保持部２３の下端部および錘２５の上端部に干渉する。これにより、延長ロッド２４の開度が支持軸２１に対して略直交する角度までに制限される（図３（Ａ）参照）。これにより、釣用仕掛け１０が最も絡み易い着水直後におけるハリス３０，３０ａに対するコマセ保持具２３や幹糸１２への絡み合いをより効果的に防止することができる。
【００３３】
水中に投入された釣用仕掛け１０は、川面Ｓを流される浮き１３による張力と、川底に沈んだ錘２５とによって同川の流れの下流側に向って引っ張られた状態となる。釣り人は、図３（Ｂ）に示すように、釣竿１１を操作して水中におけるコマセ保持部２３を上下方向（図示破線矢印参照）に変位（所謂シャクリ）させながら釣用仕掛け１０を川の流れの下流側に向って移動させる。なお、図３（Ａ）〜（Ｃ）において、川の流れは破線矢印で示すように図示左側から図示右側に向って流れている。この場合、コマセ保持具２０における延長ロッド２４は、川の流れによって支持軸２１周りを下流側に回転する。また、釣針３１ａ，３１ｂも川の流れによって下流側に流された状態となる。
【００３４】
そして、釣り人による釣竿１１の上下方向へのシャクリ操作によって、コマセ保持具２０におけるコマセ保持部２３から餌Ｂが徐々に離脱するとともに、延長ロッド２４が開いたり閉じたりの変化を繰り返す。これにより、上下方向に変位を繰り返す釣針３１ａ，３１ｂの周囲にコマセ保持部２３から離脱した餌Ｂが散在することにより、釣針３１ａ，３１ｂの周辺に魚を誘うことができる。そして、この釣用仕掛け１０のシャクリ操作時においても、前記したように、コマセ保持具２０が沈む際には延長ロッド２３が開くため、ハリス３０，３０ａに対するコマセ保持具２３および幹糸１２への絡み合いが防止される。また、延長ロッド２４が支持軸２１に対して回動自在に支持されているため、延長ロッド２４の水中での根掛りを防止して円滑な釣りを行なうことができる。
【００３５】
また、この場合、釣針３１ａ，３１ｂは、コマセ保持具２０より下方に配置されているため川底付近の限られた範囲を上下方向に変位する。一般に、水底付近を泳ぐ魚を撒き餌を用いて釣る場合、釣針３１ａ，３１ｂをコマセ保持部２３より上方に配置すると釣果が上がる傾向にある。しかし、本考案に係るコマセ保持具２０においては、釣針３１ａ，３１ｂがコマセ保持部２３より下方に位置するように構成されているため、過度な釣果を制限することができる。
【００３６】
そして、水底上に拡散した餌Ｂに紛れた釣針３１ａ，３１ｂに魚が食い付くと、釣針３１ａ，３１ｂに魚が食い付いた振動、所謂アタリは、幹糸１２などを介して浮き１３に伝わり浮き１３の浮き沈みとして現れる。釣り人は、浮き１３の挙動を監視しながら魚信を感知した場合には、釣竿１１を振り上げて釣針３１ａ，３１ｂに魚を掛からせる所謂合わせ操作を行う。釣針３１ａ，３１ｂに魚が掛かった場合には、釣り人は、図３（Ｃ）に示すように、釣竿１１を適宜操作して釣用仕掛け１０を手元に寄せて釣針３１ａ，３１ｂに掛かった魚を捕獲する。
【００３７】
この魚の取り込み作業においては、延長ロッド２４は掛かった魚の動きに応じて支持軸２１周りに回転するとともに、支持軸２１に対して略直線状に傾斜（閉じる）する（図３（Ｃ）参照）。これにより、釣針３１ａ，３１ｂが結ばれたハリス３０，３０ａ、延長ロッド２４、支持軸２１および幹糸１２が略直線状となって掛かった魚の引きが直接的に釣り人に伝わり、魚の掛かった感触をより直接的に感じながら釣りを楽しむことができる。なお、図３（Ｃ）においては、釣針３１ａに魚が掛かった場合を示しているが、魚は釣針３１ｂに掛かる場合もあるし、釣針３１ａ，３１ｂの両方に掛かる場合もある。これらの場合においても、前記と同様に、ハリス３０，３０ａ、延長ロッド２４、支持軸２１および幹糸１２が略直線状となって掛かった魚の引きが直接的に釣り人に伝わり、魚の掛かった感触をより直接的に感じながら釣りを楽しむことができる。
【００３８】
一方、釣針３１ａ，３１ｂに魚が掛からず釣用仕掛け１０が川の流れにおける釣り人より下流側に流された場合には、釣り人は、釣竿１１を操作して釣用仕掛け１０を水中から抜き出し釣用仕掛け１０を手元に寄せて回収する。そして、再度、釣りを行う場合には、前記と同じ手順でコマセ保持部２３に餌Ｂを付けた後、釣用仕掛け１０を川の中における所望するポイントに投入する。このような、釣用仕掛け１０の投入と抜き出しを繰り返しながら魚釣りが行われる。
【００３９】
上記製造過程説明からも理解できるように、上記実施形態によれば、コマセ保持具２０は、撒き餌を保持するコマセ保持部２３の下方に、釣竿１１から下垂する幹糸１２の軸線に交わる方向に張り出して延びる延長ロッド２４を備えている。この場合、延長ロッド２４は、可撓性を有する線状体で構成されるとともに、この線状体の一方の端部に釣針３１ａ，３１ｂに繋がるハリス３０を結合可能なハリス結合部２４ａが形成されている。これにより、釣針３１ａ，３１ｂが撒き餌を保持するコマセ保持部２３の下方に位置、すなわち、釣針３１ａ，３１ｂが水底付近に位置するようになるため過度な釣果を抑えることができる。また、釣針３１ａ，３１ｂが繋がるハリス３０が幹糸の軸線に交わる方向に張り出して延びる延長ロッド２４の先端部に繋がれているため、幹糸１２やコマセ保持部２３などの仕掛けと絡み合うことが防止される。これにより、釣果の低下を防止できるとともに釣りの円滑な進行を妨げず釣り人の使用感を良好に維持することができる。これらの結果、過度な釣果を抑えて魚資源の保護を図りつつ釣り人の使用感および釣果の要求を満たすことができる。
【００４０】
さらに、本考案の実施にあたっては、上記実施形態に限定されるものではなく、本考案の目的を逸脱しない限りにおいて種々の変更が可能である。なお、下記に示す各変形例においては、上記実施形態におけるコマセ保持具２０と同様の構成部分には同様の符号を付して、その説明は省略する。
【００４１】
例えば、上記実施形態においては、コマセ保持具２０における延長ロッド２４は、ステンレス製の線材を用いて構成した。しかし、延長ロッド２４は、可撓性を有する線状体で構成されていれば良く、上記実施形態に限定されるものではない。例えば、樹脂材を線状体に成形して延長ロッド２４として構成することもできる。
【００４２】
また、上記実施形態においては、コマセ保持具２０における延長ロッド２４は、リング部２４ｂを支持軸２１に通すことにより支持軸２１に対して回転変位、上下動変位および傾斜変位可能に形成した。しかし、延長ロッド２４は、少なくとも、釣竿１１から下垂する幹糸１２に対して交わる方向に張り出した状態で設けられていれば良く、上記実施形態に限定されるものではない。例えば、図４に示すように、延長ロッド２４を支持軸２１に対して回転変位可能である一方で、上下動変位および傾斜変位をそれぞれ不能な状態で支持させることもできる。また、図５（Ａ）に示すように、延長ロッド２４におけるリング部２４ｂと直線軸部分とを折り曲げずに全長に亘って直線状に形成してもよいし、図５（Ｂ）に示すように、延長ロッド２４の全体を上方に向かって湾曲させた形状に形成することもできる。
【００４３】
また、上記実施形態においては、支持軸２１は、コマセ保持部２３、延長ロッド２４および錘２５をそれぞれ支持するように構成した。しかし、支持軸２１は、幹糸結合部２２に繋がるとともに釣竿１１から下垂する幹糸１２の軸線に平行に形成されていれば、必ずしも上記実施形態に限定されるものではない。例えば、図６に示すように、１本のステンレス製の線材を曲げ加工することにより、幹糸結合部２２、コマセ保持部２３および留め部２６を連続的に成形するとともに、コマセ保持部２３と留め部２６との間に幹糸１２の軸線に平行な直線状の支持軸２１を一体的成形することもできる。この場合、支持軸２１は、延長ロッド２４および錘２５を支持可能な長さに形成しておく。
【００４４】
また、上記実施形態においては、コマセ保持部２３は、線材を螺旋状に巻き回してコイル状に成形して構成した。しかし、コマセ保持部２３は、撒き餌となる餌Ｂを保持するとともに、水中で餌Ｂを放出できる構成であれば、上記実施形態に限定されるものではない。例えば、コマセ保持部２３を網状の籠で構成してもよい。これによっても、上記実施形態と同様の効果が期待できる。
【００４５】
また、上記実施形態においては、コマセ保持具２０は、延長ロッド２４の下方に錘２５を備えて構成した。すなわち、コマセ保持具２０における支持軸２１は、延長ロッド２４を支持する部分の下方に錘２５を支持するための直線状の軸部である錘取付部が形成されている。しかし、コマセ保持具２０は、コマセ保持具２０が水中に投入された後、速やかに沈降する構成であれば必ずしも錘２５および同錘２５を取り付けるための錘取付部は必要ではない。例えば、コマセ保持具２０とは別にコマセ保持具２０を沈降させるための錘２５を釣用仕掛け１０に備えるように構成してもよいし、コマセ保持部２３の重さを錘２５の重さと同等の重さに構成してもよい。これらによっても、上記実施形態と同様の効果が期待できる。
【００４６】
また、上記実施形態においては、ハリス３０には、釣針３１ａに加えて、ハリス３０ａを介して釣針３１ｂを備える構成とした。しかし、ハリス３０に設けられる釣針の数は、当然、これに限定されるものではない。すなわち、ハリス３０には、少なくとも１以上の釣針が設けられていればよい。
【００４７】
また、上記実施形態においては、本考案に係るコマセ保持具２０を川での魚釣りに適用したが、当然、これに限定されるものではない。すなわち、本考案に係るコマセ保持具２０は、水底付近を泳ぐ魚を撒き餌を用いて釣る釣用仕掛け１０に広く適用できるものである。例えば、湖沼、海または管理釣り場などで用いることができる。
【符号の説明】
【００４８】
Ｓ…川面、Ｂ…餌、１０…釣用仕掛け、１１…釣竿、１２…釣糸、１３…浮き、１３ａ…浮き止め、２０…コマセ保持具、２１…支持軸、２２…幹糸結合部、２３…コマセ保持部、２４…延長ロッド、２４ａ…ハリス結合部、２４ｂ…リング部、２５…錘部、２６…留め部、２７…ビーズ。
【図１】
0003160378.tif 000003
【図２】
0003160378.tif 000004
【図３】
0003160378.tif 000005
【図４】
0003160378.tif 000006
【図５】
0003160378.tif 000007
【図６】
0003160378.tif 000008
【図７】
0003160378.tif 000009
【手続補正書】
【提出日】平成22年4月8日(2010.4.8)
【手続補正１】
【補正対象書類名】実用新案登録請求の範囲
【補正対象項目名】請求項１
【補正方法】変更
【補正の内容】
【請求項１】
釣竿から延びる幹糸を繋ぐための幹糸結合部と、
前記幹糸結合部の下方にて撒き餌を保持するコマセ保持部と、
前記コマセ保持部より下方に配置され、前記釣竿から下垂する前記幹糸の軸線に交わる方向に張り出して延びる可撓性を有する線状体で構成されるとともに一方の端部にハリスを結合可能なハリス結合部を有した延長ロッドとを備えることを特徴とするコマセ保持具。
【手続補正２】
【補正対象書類名】明細書
【補正対象項目名】０００８
【補正方法】変更
【補正の内容】
【０００８】
上記目的を達成するため、請求項１に係る本考案の特徴は、釣竿から延びる幹糸を繋ぐための幹糸結合部と、幹糸結合部の下方にて撒き餌を保持するコマセ保持部と、コマセ保持部より下方に配置され、釣竿から下垂する幹糸の軸線に交わる方向に張り出して延びる可撓性を有する線状体で構成されるとともに一方の端部にハリスを結合可能なハリス結合部を有した延長ロッドとを備えたことにある。